(57)【特許請求の範囲】
【請求項１】
１枚紙からなる板状体を折り曲げ成型して側壁と底壁と上壁とした直方体の内部にランプを収納するランプ包装箱において、
前記直方体の対向する側壁に、一端側と他端側のみが谷折になる折目でつながったランプ保持部材を有し、
前記ランプ保持部材は、板状体の一部であるとともに、一端側と他端側を直方体の内部に折り曲げる山折になる折目で折り曲げ成型した折曲部と、一端側の折曲部と他端側の折曲部との間に谷折になる折目でつながったランプ保持部とを有し、
前記各折曲部は、山折になる折目を中心に伸縮し、
前記ランプ保持部は、ランプの両側を個別に挿入してランプを保持するための貫通口が形成されていることを特徴とするランプ包装箱。
【発明の詳細な説明】
【０００１】
【発明が属する技術分野】
本発明は、ランプ包装箱に関する。
【０００２】
【従来の技術】
従来から、ランプは、輸送時に破損する恐れがあるので、通常、ランプ包装箱に収容され輸送されている。
特に、ランプは、ガラス製であるため衝撃、押圧、振動が加わった場合、容易に破損する恐れがあり、単に、ランプをランプ包装箱に収容するのでなく、ランプとランプ包装箱との間に、発泡スチロールや、紙、スポンジ等の緩衝材をつめてランプに加わる力を吸収するようにしていた。
【０００３】
しかしながら、このような方法では、ランプ包装箱以外に、緩衝材とい別途の部材が必要であり部品点数が多くなるという問題があり、また、この緩衝材を箱に詰めたり、ランプを包む作業を必要とし、人手を有するという問題があった。
【０００４】
このような問題を解決するために、緩衝材を用いずに、１枚の紙を折り曲げてランプ包装箱とすることも提案されている。
図８は、このような従来のランプ包装箱の断面図を示すものである。
ランプ包装箱は、一枚の厚紙を折り曲げて形成されており、側壁１０と下壁１１と上壁１２により、四角形体となっている。
そして、一部の側壁１０ａにつながる折曲部１３が形成され、この折曲部１３が四角形体の内部に折り曲げられ、内部のランプＡの頂部を下壁１１方向に押し圧して、上壁１２を閉めることにより、ランプＡをランプ包装箱内で固定するものである。
【０００５】
しかしながら、このようなランプ包装箱では、図８中、ランプの軸線方向であるＸ方向に加わる振動や衝撃に対する力は折曲部１３で吸収することができるが、Ｘ方向と交差するＹ方向の振動や衝撃による力は吸収することができず、ランプＡがランプ包装箱内で動くことにあり、Ｙ方向に加わる力の大きさによってはランプＡがランプ包装箱の中で動き破損する場合があった。
【０００６】
【発明が解決しようとする課題】
そこで本発明は、上記の問題に鑑みてなされたものであって、簡単な構造のランプ包装箱であって、しかも、ランプ包装箱内のランプをどのような方向の振動や衝撃からも保護することができるランプ包装箱を提供することにある。
【０００７】
【課題を解決するための手段】
上記課題を解決するために、請求項１に記載のランプ包装箱は、１枚紙からなる板状体を折り曲げ成型して側壁と底壁と上壁とした直方体の内部にランプを収納するランプ包装箱において、前記直方体の対向する側壁に、一端側と他端側のみが谷折になる折目でつながったランプ保持部材を有し、前記ランプ保持部材は、板状体の一部であるとともに、一端側と他端側を直方体の内部に折り曲げる山折になる折目で折り曲げ成型した折曲部と、一端側の折曲部と他端側の折曲部との間に谷折になる折目でつながったランプ保持部とを有し、前記各折曲部は、山折になる折目を中心に伸縮し、前記ランプ保持部は、ランプの両側を個別に挿入してランプを保持するための貫通口が形成されていることを特徴とする。
【０００９】
【発明の実施の形態】
以下に、図面に基づいて本発明の実施の形態を具体的に説明する。
図１は本発明のランプ包装箱の展開図であり、図２は組立後のランプ包装箱の斜視図であり、図３は組立後のランプ包装箱にランプを収容した時の斜視図を示す。
【００１０】
図１は、本発明のランプ包装箱を構成する所定の形状に打ち抜かれた一枚の板状体である紙である。
図中、実線は打ち抜かれた紙の輪郭線であり、破線は折り曲げ位置を示す折目であり、一重破線は谷折にする折目であり、２重破線は山折にする折目である。１１ａ、１１ｂ、１１ｃ、１１ｄは側壁であり、側壁１１ａには接合片１０ａが繋がり、側壁１１ｃには接合片１０ｂが繋がり、側壁１１ｄには接合片１０ｃが繋がっている。
側壁１１ｂには底壁１２ａが繋がり、側壁１１ｄには底壁１２ｂと上壁１３ａが繋がり、さらに、この上壁１３ａには舌片１３ｂが繋がっている。
【００１１】
また、ランプ保持部材１４は、組立後、対向する側壁となる側壁１１ａ、１１ｃのみに繋がった状態になっている。
このランプ保持部材１４は、一端側と他端側を組立後の多角形体の内部に折り曲げ成型する折曲部１４ａ、１４ｂを有し、この折曲部１４ａ、１４ｂの間にランプ保持部１４ｃを有する構造になっている。
ランプ保持部１４ｃは、ランプの両側が個別に挿入される貫通口１５ａ、１５ｂを有している。
【００１２】
そして、この１枚の紙を点線で示す折目に沿って折り曲げ、接合片１０ａと底壁１２ａを接着剤で接合し、接合片１０ｂと底壁１２ｂを接着剤で接合し、接続片１０ｃを側壁１１ａと接着剤で接合することにより、多角形体、本実施例では、４角形の立方体になり、側壁１１ａ、１１ｂ、１１ｃ、１１ｄと、底壁１２ａ、１２ｂと上壁１３ａとが外壁となるものである。
このように、一枚の紙を折り曲げて、図２に示すようなランプ包装箱となる。
【００１３】
図２は、側壁１１ａ側からの斜視図である。
図２に示すように、ランプ保持部材１４の一端側の折曲部１４ａは側壁１１ａに繋がり、ランプ保持部材１４の他端側の折曲部１４ｂは側壁１１ｃに繋がっており、それぞれの折曲部１４ａ、１４ｂは、折目Ｔの山が直方体の内部に向くように折り曲げられている。
そして、このランプ保持部材１４を、直方体の内側に折り曲げて内部に収容するものである。
【００１４】
そして、図３に示すように、ランプＡの発光管がランプ保持部材１４の貫通口１５ｂに挿入され、ランプＡのベースがランプ保持部材１４の貫通口１５ａに挿入されて、ランプＡの発光管側とベース側が個別にランプ保持部材１４によって保持されているので、ランプ保持部材１４によって確実にランプＡを保持した状態でランプ包装箱内に収容することができる。
【００１５】
次に、ランプを収容した本発明のランプ包装箱の衝撃吸収機能を説明する。
図４は、ランプ包装箱に衝撃が加わっていない状態の時の上壁１３ａを取り除いた状態の正面図である。
図４に示されているようにランプＡは、発光管がランプ保持部材１４の貫通口１５ｂに挿入され、ベースが貫通口１５ａに挿入されて、ランプ包装箱内で保持されている。
図５は、図４中Ｘ方向に衝撃が加わった状態の時の上壁１３ａを取り除いた状態の正面図である。
図５に示すとおり、ランプの管軸方向であるＸ方向に衝撃が加わった場合、ランプＡはＸ方向に移動することになるが、この場合、ランプ保持部材１４の折曲部１４ｂ、１４ａが一枚板を折り曲げて成型されたものであり弾性を有しており、折曲部１４ｂが図４中折目Ｔを中心に側壁１１ｃ方向に縮み、折曲部１４ａが図４中Ｘ方向に伸びることにより、Ｘ方向の衝撃を吸収することができる。
つまり、Ｘ方向に衝撃や振動、或いは、押圧が加わってもこの折曲部１４ｂ、１４ａでその力を吸収することができ、ランプ包装箱内のランプを保護することができる。
【００１６】
図６は、図４中ランプＡの管軸方向と交差する方向であるＹ方向に衝撃が加わった状態の時の上壁１３ａを取り除いた状態の正面図である。
図６に示すとおり、Ｙ方向に衝撃が加わった場合、ランプＡはＹ方向に移動することになるが、この場合、ランプ保持部材１４の折曲部１４ａ、１４ｂが一枚板を折り曲げて成型されたものであり弾性を有しており、この折曲部１４ａ、１４ｂが折目Ｔを中心に側壁１１ａ、１１ｃ方向に縮むことにより、Ｙ方向の衝撃を吸収することができる。
つまり、Ｙ方向に衝撃や振動、或いは、押圧が加わってもこの折曲部１４ａ、１４ｂでその力を吸収することができ、ランプ包装箱内のランプを保護することができる。
【００１７】
図７は、図４中紙面と直交する方向に衝撃が加わった状態の時の上壁１３ａを取り除いた状態の正面図である。
図７に示すとおり、紙面と直交する方向に衝撃が加わった場合、ランプＡは紙面と直交する方向に移動することになるが、この場合、ランプ保持部材１４の折曲部１４ａ、１４ｂが一枚板を折り曲げて成型されたものであり弾性を有しており、この折曲部１４ａ、１４ｂが折目Ｔを中心線として開くことにより、紙面と直交する方向の衝撃を吸収することができる。
つまり、紙面と直交する方向に衝撃や振動、或いは、押圧が加わってもこの折曲部１４ａ、１４ｂでその力を吸収することができ、ランプ包装箱内のランプを保護することができる。
【００１８】
従って、図５、図６、図７に示すように、ランプ包装箱にどのような方向の振動や衝撃、あるいは、押圧が加わっても内部のランプを確実に保護することができ、ランプのガラス製発光管が破壊することがない。
【００１９】
【発明の効果】
以上説明したように、本発明のランプ包装箱によれば、簡単な構造でありながらも、ランプ包装箱内のランプをどのような方向の振動や衝撃からも保護することができる。
【図面の簡単な説明】
【図１】本発明のランプ包装箱の展開図である。
【図２】本発明のランプ包装箱の斜視図である。
【図３】ランプを収容した本発明のランプ包装箱の斜視図である。
【図４】本発明のランプ包装箱に衝撃が加わっていない状態の時の上壁と取り除いた状態の正面図である。
【図５】図４中ランプの管軸方向であるＸ方向に衝撃が加わった状態の時の上壁と取り除いた状態の正面図である。
【図６】図４中ランプの管軸方向と交差する方向であるＹ方向に衝撃が加わった状態の時の上壁を取り除いた状態の正面図である。
【図７】図４中紙面と直交する方向に衝撃が加わった状態の時の上壁を取り除いた状態の正面図である。
【図８】従来のランプ包装箱の断面図である。
【符号の説明】
１１ａ      側壁
１１ｂ      側壁
１１ｃ      側壁
１１ｄ      側壁
１２ａ      底壁
１２ｂ      底壁
１３ａ      上壁
１３ｂ      舌片
１４        ランプ保持部材
１４ａ      折曲部
１４ｂ      折曲部
１４ｃ      ランプ保持部
１５ａ      貫通口
１５ｂ      貫通口
Ｔ          折目
Ａ          ランプ
【図１】
0003937733.tif 000002
【図２】
0003937733.tif 000003
【図３】
0003937733.tif 000004
【図４】
0003937733.tif 000005
【図５】
0003937733.tif 000006
【図６】
0003937733.tif 000007
【図７】
0003937733.tif 000008
【図８】
0003937733.tif 000009